(57)【特許請求の範囲】
【請求項１】
外形が円形の環状コアと、
外形が略矩形状であり、少なくとも前記環状コアの一面を覆う被覆部材と、
前記略矩形状の被覆部材の角のみに設けられた、コイルの導線が通される凹みと、
を備え、
前記コイルは、前記導線が前記凹みを通して前記環状コアの周囲に巻かれてなり、
前記凹みに巻かれた前記導線は、前記被覆部材の外形である略矩形の範囲内に収まっていること、
を特徴とするコイル部品。
【請求項２】
前記凹みは、略正方形状の前記被覆部材の角に設けられていること、
を特徴とする請求項１に記載のコイル部品。
【請求項３】
前記環状コアは、アモルファスコアであること、
を特徴とする請求項１又は請求項２に記載のコイル部品。
【請求項４】
前記被覆部材は、前記環状コアの周囲を覆う樹脂ケースであること、
を特徴とする請求項１〜請求項３の何れか１項に記載のコイル部品。
【請求項５】
前記樹脂ケースは、複数の樹脂体を組み合わせてなること、
を特徴とする請求項４に記載のコイル部品。
【請求項６】
前記樹脂ケースは、一端が有底の二重筒からなる第１の樹脂体と、二重筒とこの二重筒の一端に設けられた外形が略矩形状の端面と有する第２の樹脂体と、からなること、
を特徴とする請求項５に記載のコイル部品。
【請求項７】
前記第１の樹脂体及び前記第２の樹脂体の前記二重筒は、円筒形状の内筒及び外筒を有すること、
を特徴とする請求項６に記載のコイル部品。
【発明の詳細な説明】
【技術分野】
【０００１】
本発明は、コアと、コイルとを備えたコイル部品に関する。
【背景技術】
【０００２】
コイル部品は、種々の電気機器に用いられ、コアと、コアの周囲に巻かれてなるコイルとを備える。このコイル部品の一例として、リングコアに巻線を巻いてなるものが知られている。
【先行技術文献】
【特許文献】
【０００３】
【特許文献１】特開平７−９４３３０号公報
【発明の概要】
【発明が解決しようとする課題】
【０００４】
上記のようなコイル部品において、例えば手作業で巻線を巻く場合等、ターンする部分に巻き膨らみが生じるため、コイル部品が大型化する。また、作業者によって巻き膨らみの大きさも異なるため、コイル部品の外形寸法誤差にもバラツキが生じる。
【０００５】
リングコアに巻線を巻く場合、外形が円状であるため、所定箇所に巻き位置を正確に位置決めすることができない。また、正確に規定の場所に巻くこともできない。
【０００６】
本発明は、上記のような課題を解決するためになされたものであり、その目的は、巻き位置を正確に位置決めすることができるとともに、外形寸法バラツキを抑制し、小型化を図ることができるコイル部品を提供することにある。
【課題を解決するための手段】
【０００７】
本発明のコイル部品は、次の構成を備えることを特徴とする。
（１）外形が円形の環状コア。
（２）外形が略矩形状であり、少なくとも前記環状コアの一面を覆う被覆部材。
（３）前記略矩形状の被覆部材の角のみに設けられた、コイルの導線が通される凹み。
（４）前記コイルは、前記導線が前記凹みを通して前記環状コアの周囲に巻かれてなること。
（５）前記凹みに巻かれた前記導線は、前記被覆部材の外径である略矩形の範囲内に収まっていること。
【０００８】
本発明において、次の構成を有していても良い。
（１）前記凹みは、略正方形状の前記被覆部材の角に設けられていること。
（２）前記環状コアは、アモルファスコアであること。
（３）前記被覆部材は、前記環状コアの周囲を覆う樹脂ケースであること。
（４）前記樹脂ケースは、複数の樹脂体を組み合わせてなること。
（５）前記樹脂ケースは、一端が有底の二重筒からなる第１の樹脂体と、二重筒とこの二重筒の一端に設けられた外形が略矩形状の端面と有する第２の樹脂体と、からなること。
（６）前記第１の樹脂体及び前記第２の樹脂体の前記二重筒は、円筒形状の内筒及び外筒を有すること。
【発明の効果】
【０００９】
本発明によれば、巻き位置の正確な位置決め及び外形寸法バラツキを抑制し、小型化が可能なコイル部品を得ることができる。
【図面の簡単な説明】
【００１０】
【図１】第１の実施形態に係るコイル部品の概略斜視図である。
【図２】第１の実施形態に係るコイル部品の概略正面図である。
【図３】コイルを除いた第１の実施形態に係るコイル部品の分解図である。
【図４】コイルを除いた第１の実施形態に係るコイル部品の分解断面図である。
【図５】他の実施形態に係るコイル部品を示す図である。
【図６】コイルを除いた他の実施形態に係るコイル部品を示す正面図である。
【発明を実施するための形態】
【００１１】
以下、図面を参照して、本発明の実施形態のコイル部品について説明する。
【００１２】
［１．第１の実施形態］
［１−１．概略構成］
図１は、本実施形態に係るコイル部品の概略斜視図である。図２は、その概略正面図である。図３は、コイルを除いた本実施形態に係るコイル部品の分解図である。
【００１３】
図１〜図３に示すように、コイル部品は、環状コア１と、被覆部材２と、コイル５とを備える。環状コア１は、その外形が円形であり、被覆部材２は、その外径が環状コア１より大きく略矩形状であり、少なくとも環状コア１の一面を覆う部材である。ここでは、被覆部材２は、環状コア１の周囲全体を覆う樹脂ケースである。この略矩形状の被覆部材２の角には、コイル５の導線が巻かれる凹み３が４箇所設けられている。コイル５は、１本の導線がこの凹み３を通して環状コア１の周囲に巻かれてなり、その両端は外部に引き出されている。
【００１４】
［１−２．詳細構成］
本実施形態のコイル部材の各部の詳細構成について、詳細に説明する。
【００１５】
（環状コア）
環状コア１は、その外形が円形のリングコアである。環状コア１の外形は、楕円形であっても良い。ここでは、環状コア１は円筒形状であり、円筒の両端部に環状面１ａを有する。環状コア１には、例えば一方の環状面１ａ、内周面、他方の環状面１ａ、外周面と順にコイル５の導線が巻かれており、コイル５への通電によりコイル５を貫く磁束が発生し、環状コア１の内部には当該内部を通過する閉じた磁気回路が形成される。
【００１６】
環状コア１は、圧粉磁心、フェライトコア、積層鋼板、巻き鉄心などの磁性体から構成される。本実施形態の環状コア１は巻き鉄心であり、帯状のリボンが芯材に巻かれるようにして構成され、層状になっている。この巻き鉄心の材料としては、例えば、高透磁率で低鉄損のアモルファスが挙げられる。具体的には、メトグラス（Ｍｅｔｇｌａｓ：商標登録）を用いることができる。なお、ここでいう透磁率は微分透磁率を意味する。
【００１７】
（被覆部材）
被覆部材２は、ここでは、環状コア１の外周を樹脂により被覆している樹脂ケースである。この樹脂ケースは、環状コア１０の形状に倣って環状に形成されているが、その外形は環状コア１より大きい略矩形状を有する。
【００１８】
樹脂ケースを構成する樹脂の種類としては、例えば、エポキシ樹脂、不飽和ポリエステル系樹脂、ウレタン樹脂、ＢＭＣ（Ｂｕｌｋ  Ｍｏｌｄｉｎｇ  Ｃｏｍｐｏｕｎｄ）、ＰＰＳ（Ｐｏｌｙｐｈｅｎｙｌｅｎｅ  Ｓｕｌｆｉｄｅ）、ＰＢＴ（Ｐｏｌｙｂｕｔｙｌｅｎｅ  Ｔｅｒｅｐｈｔｈａｌａｔｅ）等が挙げられる。
【００１９】
樹脂ケースは、環状コア１をインサート品としてモールド成型により作製することもできるが、本実施形態では、樹脂ケースは、二分割されて樹脂体２１と樹脂体２２とで構成されている。すなわち、樹脂体２１、２２は、何れも円筒形状の内筒２３ａ、外筒２３ｂを備える二重筒２３を有しており、何れかの二重筒２３に円筒形状の環状コア１が収容された状態で、互いの端部を向かい合わせることで構成されている。
【００２０】
具体的には、樹脂体２１は、一端が有底の二重筒２３からなる。樹脂体２２は、二重筒２３と、この二重筒２３の一端に設けられた外形が略矩形状の端面２４とを有する。樹脂ケースは、図４に示すように、樹脂体２１の二重筒２３が、樹脂体２２の二重筒２３内に嵌め込まれて組み合わされている。換言すれば、樹脂体２２の内筒２３ａの外径と、樹脂体２１の内筒２３ａの内径とが等しく、樹脂体２２の外筒２３ｂの内径と、樹脂体２１の外筒２３ｂの外径とが等しい。樹脂体２１、２２の二重筒２３が組み合わさることで、環状コア１の収容スペースが構成されている。なお、樹脂ケースは、樹脂体２１、２２を単に組み合わせるだけ構成しても良いし、樹脂体２１、２２の向かい合う端部に接着剤を塗布して接着しても良い。
【００２１】
被覆部材２となる樹脂ケースは、外形が略矩形状となる箇所を有する。本実施形態では、樹脂体２１の端面２４の外形が略矩形状である。すなわち、環状コア１の環状面１ａと平行な平面に投影した樹脂ケースの外形が略矩形状である。
【００２２】
この略矩形状の樹脂体２１の四隅には、凹み３が設けられている。凹み３は、コイル５の導線が通される箇所であり、巻線位置を位置決めする。なお、「略矩形状」とは、四隅の凹み３を除いて概ね矩形状であることをいう。本実施形態では、樹脂体２１の外形が略正方形である。換言すれば、樹脂体２１の端面の外形は、四隅に凹み３が設けられることで十字形状を有する。樹脂体２１の略矩形状の端面２４は、二重筒２３の径方向外側に張り出している。樹脂体２１の端面２４における対辺となる平行な外縁間の距離は、環状コア１の直径に基づいて定められている。また、略正方形状の四隅部分に凹み３が対角に設けられることで、凹み３の間隔が等間隔になっている。なお、凹部３は四隅に限らず等間隔に設けても良い。
【００２３】
（コイル）
コイル５は、周囲がエナメルなどの絶縁被覆が施された１本の導線からなり、凹み３に巻かれた４ターンを含め、計５ターンで構成されている。コイル５の巻線の両端部は、コイル部材の外部に引き出されており、絶縁被覆が引き剥がされ、金属製の線材が露出している。外部電源や外部機器と電気的に接続するためである。コイル５が外部から電力供給を受けることで、コイル５に電流が流れてコイル５を貫く磁束が発生し、環状コア１内部に閉じた環状の磁気回路が形成される。
【００２４】
本実施形態では、コイル５は、１つの凹み３につき、１ターンで構成している。すなわち、導線を外部から環状コア１の内側に通して１つ目の凹み３に環状コア１の外側から巻き、次いで環状コア１の内側を通って２つ目の凹み３に環状コア１の外側から巻かれるというのを３つ目、４つ目の凹み３にも繰り返し、４つ目の凹み３に巻かれた導線が環状コア１の内側から外部に引き出されている。なお、図１および図２では、コイル５は一部簡略化して記載している。また、本実施形態では、コイル５は、１つの凹み３につき、１ターンで構成しているが、１つの凹み３で複数ターンとして構成しても良い。何れかの凹み３のみに導線を巻いて他の凹み３には導線を巻かないようにしても良い。
【００２５】
図２に示すように、凹み３に巻かれたコイル５の巻線部分は、被覆部材２の外形である矩形の範囲内に収まっている。
【００２６】
［１−３．作用・効果］
（１）本実施形態のコイル部品は、外形が円形の環状コア１と、外形が略矩形状であり、少なくとも環状コア１の一面を覆う被覆部材２と、略矩形状の被覆部材２の角に設けられた、コイル５の導線が通される凹み３と、を備えるようにした。
【００２７】
これにより、凹み３にコイル５の導線を巻くことができるので、外形が円形の環状コア１であっても、巻き位置を正確に位置決めすることができる。また、コイル部品を設置スペースに配置したときに外形が矩形の角部分にデッドスペースが生じるが、当該デッドスペースとなる角部分に導線を巻くことができるので、コイル５を被覆部材２の矩形の範囲内に収めることができる。このため、手作業で巻く場合であっても、作業者による巻き膨らみのバラツキによる寸法バラツキを抑制でき、外形寸法の安定化を図ることができるとともに、小型化を図ることができる。
【００２８】
なお、環状コア１に凹みを設けてこの凹みを通して導線を巻くことも考えられるが、環状コア１に凹みを設けるとその分磁束が通る面積が減り、特性が落ちてしまうが、本実施形態によれば、環状コア１の外形は変えずに、被覆部材２を設けて当該部材２に凹み３を設けたので、特性を落とさないで済むという利点がある。また、環状コア１が巻き鉄心である場合、巻き鉄心が芯材に金属等からなる帯状のリボンを巻いて構成されるものであるため、コアに凹み３を設けることができない。そのため、環状コア１が巻き鉄心である場合にも本実施形態の利点がある。
【００２９】
（２）凹み３は、略正方形状の被覆部材２の角に設けられ、コイル５は、導線が凹み３を通して環状コア１の周囲に巻かれてなるようにした。これにより、コイル５を構成する巻線が等間隔に配置されるので、磁束が外部に広がらず、磁束の漏れを防止することができる。コイル部品の周囲に配置された電気機器への漏れ磁束の影響を小さくすることができる。例えば、電気機器がカーオーディオなどの音響機器である場合、この音響機器に漏れ磁束が侵入することにより生じる雑音を防止することができる。また、凹み３の設けられる箇所が決まっているので、コイル５の導線の巻かれる位置が安定するため、漏れ磁束のバラツキも抑えることができる。
【００３０】
（３）被覆部材２は、環状コア１の周囲を覆う樹脂ケースとした。これにより、コイル５と環状コア１との絶縁を確保することができるとともに、環状コア１に生じる欠けや錆から防止することができる。
【００３１】
（４）樹脂ケースは、複数の樹脂体２１、２２を組み合わせてなるようにした。これにより、環状コア１をモールド成型して樹脂ケースを作製する場合と比べて、低コスト化することができる。
【００３２】
（５）樹脂ケースは、一端が有底の二重筒２３からなる樹脂体２２と、二重筒２３とその一端に設けられた外形が略矩形状の端面２４と有する樹脂体２１と、からなるようにした。これにより、凹み３が一方の樹脂体２１にしか設けられていないので、樹脂体２１、２２を組み合わせる際に、樹脂体２１、２２の両方の外形を略矩形状としてその角に凹み３を設けた場合と比べて、凹み３の位置合わせをしなくて済むので組立性が良いという利点を得ることができる。特に、樹脂体２１、２２の二重筒２３は、円筒形状の内筒２３ａ及び外筒２３ｂを有する。二重筒２３がその軸周りに回転対称性を有するので、二重筒２３を二重角筒とする場合と比べて、角の向きを気にすることなく組立性を向上させることができる。
【００３３】
（６）環状コア１は、アモルファスコアとした。これにより、コイル５の巻き数が少なくても必要なインダクタンス値を得ることができるので、巻き数を増加させずに済み、小型化を図ることができる。
【００３４】
すなわち、インダクタンス値は、コアの微分透磁率とコイルの巻き数とに依存する。アモルファスコアは他の磁性体と比較して高微分透磁率であるから、コイル５の巻き数を少なくすることができる。このため、コイル部品の小型化が可能である。また、必要なインダクタンス値を確保する場合に、コイル５の巻き数を減らすことで、その分コイル部品におけるコアの体積の割合が増加する。そうすると、コイル部品におけるコアの鉄損及び発熱の割合が大きくなるので、放熱性確保のために大型化させざるを得ない場合がある。この点、アモルファスコアは他の磁性体と比較して低鉄損であるので、発熱が少なく、放熱性確保のために大型化させずに済む、或いは小型化できるという利点もある。このように、環状コア１を高微分透磁率かつ低鉄損という２つの特性を有するアモルファスコアとすることで、必要な磁気特性を確保しつつも、小型化することが可能になる。また、アモルファスコアは、他の磁性体と比較して飽和磁束密度が高いため、良好な直流重畳特性を得ることができる利点もある。
【００３５】
［２．他の実施形態］
本発明は、第１の実施形態に限定されるものではなく、下記に示す他の実施形態も包含する。また、本発明は、第１の実施形態及び下記の他の実施形態を全て又はいずれかを組み合わせた形態も包含する。さらに、これらの実施形態を発明の範囲を逸脱しない範囲で、種々の省略や置き換え、変更を行うことができ、その変形も本発明に含まれる。
【００３６】
（１）第１の実施形態では、被覆部材２を環状コア１の周囲を覆う樹脂ケースとしたが、図５に示すように、コイル５の導線を通すための孔を有し、外形が略矩形状の板状体であっても良い。板状体を環状コア１の環状面１ａに接する状態にして、板状体の四隅に設けた凹み３に導線を巻いてコイル５を形成することでコイル部品を構成しても良い。
【００３７】
（２）第１の実施形態では、樹脂ケースを構成する樹脂体２１に外形が略矩形状となるようにしたが、樹脂体２２も外形が略矩形状になるようにしても良い。例えば、樹脂ケースの外形が環状コア１の中心軸方向に沿って一様に略矩形状になるようにしても良いし、円筒部分の両端を略矩形部分で挟むようにしても良い。また、環状コア１の外周側面の例えば中央部分の外形が略矩形状となるように被覆部材２を構成しても良い。すなわち、被覆部材２を略矩形状の枠とし、当該枠の中に環状コア１を配置して環状コア１の外周側面を覆うようにしても良い。
【００３８】
（３）第１の実施形態では、樹脂体２１、２２の内筒２３ａ、外筒２３ｂを円筒形状としたが、角筒形状としても良い。
【００３９】
（４）上記の説明では、被覆部材２の外形を略矩形状としたが、略多角形状としても良い。この多角形の角に凹み３を設けて当該凹み３にコイル５の導線を巻くようにしても良い。このようにしても、多角形状の角部分が環状コア１のデッドスペースとなり、当該スペースにコイル５の巻線が配置されるので、巻き位置の固定、外形寸法の安定性、及び小型化を図ることができる。
【００４０】
（５）第１の実施形態では、環状コア１の外形は円形であったが、多角形状としても良い。特に、図６に示すように、８角形の場合は、対角に位置する辺部分に凹み３を設けることで、凹み３を介して巻かれるコイル５の導線を被覆部材２の略矩形の範囲内に収めることができ、デッドスペースを活用することができる。
【符号の説明】
【００４１】
１              環状コア
１ａ            環状面
２              被覆部材
２１、２２      樹脂体
２３            二重筒
２３ａ          内筒
２３ｂ          外筒
２４            端面
３              凹み
５              コイル
【図１】
0006774725.tif 000002
【図２】
0006774725.tif 000003
【図３】
0006774725.tif 000004
【図４】
0006774725.tif 000005
【図５】
0006774725.tif 000006
【図６】
0006774725.tif 000007